(57)【要約】【課題】情報処理装置の動作状況にかかわらずにＲＦＩＤ通信を行なうことができるとともに、ノイズ対策を施すことができる情報処理装置を提供する。【解決手段】本発明の情報処理装置１においては、本体部２に接続された表示部３のディスプレイ４よりも小さく形成されたアクティブ側ＲＦＩＤアンテナ６が、ベゼル部５の一部分に部分重複するようにディスプレイ４の表示面の表側もしくは裏側に配置されている。【選択図】図３
2011091744.tif 000002
【特許請求の範囲】
【請求項１】
ＲＦＩＤ認証情報を処理する本体部と、
ベゼル部に囲まれたディスプレイを有するとともに、前記本体部に接続されている表示部と、
前記表示部の前記ディスプレイよりも小さく形成されているとともに、前記ベゼル部の一部分に部分重複するように前記ディスプレイの表示面の表側もしくは裏側に配置されているアクティブ側ＲＦＩＤアンテナと
を備えていることを特徴とする情報処理装置。
【請求項２】
前記アクティブ側ＲＦＩＤアンテナは、隣位する２辺または前記２辺に相当する２曲線のいずれか一方を有するループアンテナであり、
前記２辺または前記２曲線は、前記ベゼル部の一部分に重複しており、
前記２辺または前記２曲線以外の部分は、前記ディスプレイに重複している
ことを特徴とする請求項１に記載の情報処理装置。
【請求項３】
前記ベゼル部の一部分は、前記ベゼル部における隣位かつ直交する２辺であり、
前記アクティブ側ＲＦＩＤアンテナにおける前記隣位する２辺は、隣位かつ直交する２辺であり、
前記アクティブ側ＲＦＩＤアンテナは、前記アクティブ側ＲＦＩＤアンテナにおける隣位かつ直交する２辺が前記ベゼル部における隣位かつ直交する２辺と平行に、かつ、それらの前記隣位かつ直交する２辺の頂点が互いに重複するように、配置されている
ことを特徴とする請求項２に記載の情報処理装置。
【請求項４】
前記ベゼル部は、矩形枠状に形成されており、
前記アクティブ側ＲＦＩＤアンテナは、前記ディスプレイの表示面から見て前記ベゼル部の上下いずれかの右隅に配置されている
ことを特徴とする請求項３に記載の情報処理装置。
【請求項５】
前記表示部は、前記本体部にヒンジ接続されている
ことを特徴とする請求項１から請求項４のいずれか１項に記載の情報処理装置。
【請求項６】
前記アクティブ側ＲＦＩＤアンテナは、前記ディスプレイの表示面の裏側に配置されている
ことを特徴とする請求項１から請求項５のいずれか１項に記載の情報処理装置。
【請求項７】
前記アクティブ側ＲＦＩＤアンテナと前記ディスプレイとの間に介在する磁性シートを備えている
ことを特徴とする請求項１から請求項６のいずれか１項に記載の情報処理装置。
【発明の詳細な説明】
【技術分野】
【０００１】
本発明は、情報処理装置に係り、特に、ＲＦＩＤ（Radio Frequency IDentification：電波による個体識別）通信が可能なラップトップコンピュータ（以下、「ノートパソコン」という。）に好適に利用できる情報処理装置に関する。
【背景技術】
【０００２】
従来の情報処理装置の一例であるノートパソコンにおいては、個人認証を行うために、ノートパソコンの本体部のパームレストにアクティブ側ＲＦＩＤアンテナを内蔵していた。また、そのパームレストの内部にはノイズ対策に用いる金属製シールド板が設けられていた。
【先行技術文献】
【特許文献】
【０００３】
【特許文献１】特開２００２−２６８７６８号公報
【発明の概要】
【発明が解決しようとする課題】
【０００４】
しかしながら、従来の情報処理装置においては、本体部にヒンジ接続された表示部を閉じた場合、閉じられた表示部がアクティブ側ＲＦＩＤアンテナの通信面を覆ってしまうため、ＲＦＩＤ通信を行なうことができないという問題があった。
【０００５】
また、ＲＦＩＤ通信を行なうためには金属製シールド板においてアクティブ側ＲＦＩＤアンテナが配設される領域に開口部を設けなければならないため、金属製シールド板の開口部を通じて、ノートパソコンの本体部から電磁ノイズが外部に放射されたり、外来ノイズがノートパソコンの回路に侵入してその回路を誤作動させたりするおそれがあった。
【０００６】
そこで、本発明はこれらの点に鑑みてなされたものであり、情報処理装置の動作状況にかかわらずにＲＦＩＤ通信を行なうことができるとともに、ノイズ対策を施すことができる情報処理装置を提供することを本発明の目的としている。
【課題を解決するための手段】
【０００７】
前述した目的を達成するため、本発明の情報処理装置は、その第１の態様として、ＲＦＩＤ認証情報を処理する本体部と、ベゼル部に囲まれたディスプレイを有するとともに、本体部に接続されている表示部と、表示部のディスプレイよりも小さく形成されているとともに、ベゼル部の一部分に部分重複するようにディスプレイの表示面の表側もしくは裏側に配置されているアクティブ側ＲＦＩＤアンテナとを備えていることを特徴としている。
【０００８】
本発明の第１の態様の情報処理装置によれば、ディスプレイに用いられる金属板が配設されていないベゼル部の一部分にアクティブ側ＲＦＩＤアンテナが部分重複しているので、そのベゼル部の一部分にパッシブ側ＲＦＩＤアンテナを近接させることによって、アクティブ側ＲＦＩＤアンテナを配設した表示部の両面からＲＦＩＤ通信を行なうことができる。
【０００９】
本発明の第２の態様の情報処理装置は、第１の態様の情報処理装置において、アクティブ側ＲＦＩＤアンテナは、隣位する２辺または２辺に相当する２曲線のいずれか一方を有するループアンテナであり、２辺または２曲線は、ベゼル部の一部分に重複しており、２辺または２曲線以外の部分は、ディスプレイに重複していることを特徴としている。
【００１０】
本発明の第２の態様の情報処理装置によれば、アクティブ側ＲＦＩＤアンテナにおける隣位する２辺または２辺に相当する２曲線によりディスプレイと重ならないアンテナ開口部が生じるので、ベゼル部の一部分に重複するアクティブ側ＲＦＩＤアンテナの面積が小さくても、アクティブ側ＲＦＩＤアンテナから得られる利得を大きくすることができる。
【００１１】
本発明の第３の態様の情報処理装置は、第２の態様の情報処理装置において、ベゼル部の一部分は、ベゼル部における隣位かつ直交する２辺であり、アクティブ側ＲＦＩＤアンテナにおける隣位する２辺は、隣位かつ直交する２辺であり、アクティブ側ＲＦＩＤアンテナは、アクティブ側ＲＦＩＤアンテナにおける隣位かつ直交する２辺がベゼル部における隣位かつ直交する２辺と平行に、かつ、それらの隣位かつ直交する２辺の頂点が互いに重複するように、配置されていることを特徴としている。
【００１２】
本発明の第３の態様の情報処理装置によれば、アクティブ側ＲＦＩＤアンテナとベゼル部との重複部分が最大になるので、アクティブ側ＲＦＩＤアンテナから得られる利得を大きくすることができる。
【００１３】
本発明の第４の態様の情報処理装置は、第３の態様の情報処理装置において、ベゼル部は、矩形枠状に形成されており、アクティブ側ＲＦＩＤアンテナは、ディスプレイの表示面から見てベゼル部の上下いずれかの右隅に配置されていることを特徴としている。
【００１４】
本発明の第４の態様の情報処理装置によれば、アクティブ側ＲＦＩＤアンテナが視認性に影響を及ぼしにくい隅に配置されており、かつ、右利きの利用者がＲＦＩＤ通信を行なうときにアクティブ側ＲＦＩＤアンテナが右側に配置されていると操作しやすいので、ディスプレイの視認性およびＲＦＩＤ通信の操作性をともに向上させることができる。
【００１５】
本発明の第５の態様の情報処理装置は、第１から第４のいずれか１の態様の情報処理装置において、表示部は、本体部にヒンジ接続されていることを特徴としている。
【００１６】
本発明の第５の態様の情報処理装置によれば、ヒンジ接続された表示部が閉じた状態であっても、ＲＦＩＤ通信を行なうことができる。
【００１７】
本発明の第６の態様の情報処理装置は、第１から第５のいずれか１の態様の情報処理装置において、アクティブ側ＲＦＩＤアンテナは、ディスプレイの表示面の裏側に配置されていることを特徴としている。
【００１８】
本発明の第６の態様の情報処理装置によれば、アクティブ側ＲＦＩＤアンテナがディスプレイの表示面から見えないので、不透明なアクティブ側ＲＦＩＤアンテナを用いることができる。
【００１９】
本発明の第７の態様の情報処理装置は、第１から第６のいずれか１の態様の情報処理装置において、アクティブ側ＲＦＩＤアンテナとディスプレイとの間に介在する磁性シートを備えていることを特徴としている。
【００２０】
本発明の第７の態様の情報処理装置によれば、ディスプレイの内部に配設された電極などの導電性部材がアクティブ側ＲＦＩＤアンテナに与える悪影響を抑制することができる。
【発明の効果】
【００２１】
本発明の情報処理装置によれば、ノイズ対策に用いる金属製シールド板などのノイズ対策部材に加工を加えることなくアクティブ側ＲＦＩＤアンテナを配設した表示部の両面からＲＦＩＤ通信を行なうことができるので、情報処理装置の動作状況にかかわらずにＲＦＩＤ通信を行なうことができるとともに、ノイズ対策を施すことができるという効果を奏する。
【図面の簡単な説明】
【００２２】
【図１】本発明の１つの実施形態である情報処理装置において表示部が開いた状態を示す斜視図
【図２】本実施形態の情報処理装置において表示部が閉じた状態を示す斜視図
【図３】本実施形態のアクティブ側ＲＦＩＤアンテナがディスプレイの裏側に配設された状態を側方から示す表示部の縦断面図
【図４】本実施形態のアクティブ側ＲＦＩＤアンテナがディスプレイの表側に配設された状態を側方から示す表示部の縦断面図
【図５】本実施形態のアクティブ側ＲＦＩＤアンテナの配置例を示す表示部の正面図
【図６】本実施形態のアクティブ側ＲＦＩＤアンテナがディスプレイの裏側に配設された状態の一例を正面から示す表示部の縦断面図
【図７】本実施形態のアクティブ側ＲＦＩＤアンテナがディスプレイの裏側に配設された状態の一例を正面から示す表示部の縦断面図
【図８】本実施形態のアクティブ側ＲＦＩＤアンテナがディスプレイの裏側に配設された状態の一例を正面から示す表示部の縦断面図
【図９】本実施形態のアクティブ側ＲＦＩＤアンテナが表示部の表側から近接するパッシブ側ＲＦＩＤアンテナとＲＦＩＤ通信している状態を側方から示す表示部の縦断面図
【図１０】本実施形態のアクティブ側ＲＦＩＤアンテナが表示部の裏側から近接するパッシブ側ＲＦＩＤアンテナとＲＦＩＤ通信している状態を側方から示す表示部の縦断面図
【発明を実施するための形態】
【００２３】
以下、本発明の情報処理装置をその一実施形態により説明する。
【００２４】
本実施形態の情報処理装置１は、図１に示すように、本体部２、表示部３、アクティブ側ＲＦＩＤアンテナ６を備えている。また、この情報処理装置１は、任意の部材として、磁性シート９を備えている。情報処理装置１としては、ノートパソコン、ＰＤＡ（携帯情報端末）、携帯用ゲーム機など、表示部３を有する電子機器が挙げられる。以下に説明する本実施形態の情報処理装置１としては、ノートパソコンを例に説明する。
【００２５】
本体部２は、ＲＦＩＤ通信に用いられるＲＦＩＤ認証情報を処理する装置である。この本体部２は、一般的な構成として、図示しないＣＰＵ（中央演算処理装置）、メモリ（記憶装置）、ＨＤＤ（ハード・ディスク・ドライブ）などの装置を有している。また、この本体部２は、図示しないが、アクティブ側ＲＦＩＤアンテナ６に電気的に接続している。
【００２６】
表示部３は、ディスプレイ４およびベゼル部５を有している。ディスプレイ４としては、携帯性を考慮すると、液晶ディスプレイ４などの薄型ディスプレイ４が用いられる。ディスプレイ４の形状は、一般的に横長長方形であるが、特にこの形状に制限されることはない。ベゼル部５は、ディスプレイ４の外縁を囲む枠であり、一般的には樹脂製品である。このベゼル部５の形状は、一般的にはディスプレイ４の形状にあわせて矩形枠であるが、ディスプレイ４の形状が横長長方形でなければそれにあわせてベゼル部５の形状も変化する。
【００２７】
また、表示部３は、本体部２に接続されている。接続方法としては、デスクトップコンピュータに採用されている有線接続や無線接続、ノートパソコンに採用されているヒンジ接続、携帯電話機などに採用されているスライド接続や回転接続などの種々の接続方法を採用することができる。本実施形態の情報処理装置１はノートパソコンであるので、図１および図２に示すように、表示部３は本体部２にヒンジ７により接続されていることが好ましい。
【００２８】
アクティブ側ＲＦＩＤアンテナ６は、図３および図４に示すように、透明または不透明なアンテナ基板８の表面に形成された透明または不透明なアンテナであって、図１および図２に示すように、表示部３のディスプレイ４よりも小さく形成されている。また、このアクティブ側ＲＦＩＤアンテナ６は、図１から図４に示すように、表示部３の内部において、ベゼル部５の一部分にアクティブ側ＲＦＩＤアンテナ６が部分重複するように、言い換えると、ディスプレイ４の外縁からアクティブ側ＲＦＩＤアンテナ６が一部はみ出るように、ディスプレイ４の表示面の表側（図４を参照）もしくは裏側（図３を参照）に配置されている。このアクティブ側ＲＦＩＤアンテナ６は、図３に示すように、ディスプレイ４の表示面の裏側に配置されていることが好ましい。
【００２９】
また、図１、図６または図７に示すように、ベゼル部５が矩形枠状などの隣位かつ直交する２辺５ａ、５ｂを有する形状である場合、アクティブ側ＲＦＩＤアンテナ６は矩形ループ形状などの隣位かつ直交する２辺６ａ、６ｂを有する形状であることが好ましい。この場合、アクティブ側ＲＦＩＤアンテナ６が、アクティブ側ＲＦＩＤアンテナ６における隣位かつ直交する２辺６ａ、６ｂがベゼル部５における隣位かつ直交する２辺５ａ、５ｂと平行に、かつ、それらの隣位かつ直交する２辺５ａ、５ｂ、６ａ、６ｂの各頂点が互いに重複するように、配置されていることが好ましい。
【００３０】
アクティブ側ＲＦＩＤアンテナ６が部分重複するベゼル部５の一部分とは、図５に示すように、ベゼル部５が矩形枠である場合、ベゼル部５の四隅だけでなく、ベゼル部５の各辺の一部であってもよい。本実施形態のベゼル部５の一部分としては、ディスプレイ４の視認性およびＲＦＩＤ通信の操作性の観点から、図１に示すように、ディスプレイ４の表示面と対峙したときのベゼル部５の上下いずれかの右隅が好ましい。
【００３１】
また、アクティブ側ＲＦＩＤアンテナ６は、図６に示すように、矩形ループアンテナなどの隣位する２辺６ａ、６ｂを有するループアンテナであることが好ましい。ただし、アクティブ側ＲＦＩＤアンテナ６は、図７に示すような角を丸加工した矩形ループアンテナまたは図７を参考図とする楕円ループアンテナもしくは円ループアンテナなどのように、隣位する２辺６ａ、６ｂに相当する２曲線２ｃ、２ｄを有するループアンテナであっても良い。この場合、前述したアクティブ側ＲＦＩＤアンテナ６の２辺６ａ、６ｂまたは２曲線２ｃ、２ｄは、図６および図７に示すように、ベゼル部５の一部分に重複しており、それらの２辺６ａ、６ｂまたは２曲線２ｃ、２ｄ以外の部分は、ディスプレイ４に重複していることが好ましい。前述した通り、アクティブ側ＲＦＩＤアンテナ６はベゼル部５の隅以外に配置されていても良いので、図８および図５に示すように、アクティブ側ＲＦＩＤアンテナ６を傾斜配置することにより、アクティブ側ＲＦＩＤアンテナ６の２辺６ａ、６ｂまたは２曲線２ｃ、２ｄをベゼル部５の各辺の一部と重複させても良い。
【００３２】
また、前述したアクティブ側ＲＦＩＤアンテナ６の２辺６ａ、６ｂまたは２曲線２ｃ、２ｄのうちの長辺２ａまたは長辺２ａに相当する長曲線２ｃについては、その長さの２／３以上の長さの部分がベゼル部５の一部分に重複していることが通信感度の向上の観点から好ましい。
【００３３】
さらに、アクティブ側ＲＦＩＤアンテナ６は、アクティブ側ＲＦＩＤアンテナ６と通信するパッシブ側ＲＦＩＤアンテナ２０の大きさおよび形状と等しい大きさおよび形状に形成されていることが好ましい。一般的に用いられているパッシブ側ＲＦＩＤアンテナ２０の形状は矩形ループ形状であり、その大きさは一般的な名刺やＩＤカードなどのカードサイズ（約１００ｍｍ×約６０ｍｍ、対角線寸法約１１７ｍｍ（約４．６インチ））と同等であるから、アクティブ側ＲＦＩＤアンテナ６の形状は矩形ループアンテナ形状であって、その大きさが上記のカードサイズであることが好ましい。なお、前述した通り、ディスプレイ４はアクティブ側ＲＦＩＤアンテナ６よりも大きく形成されていることから、アクティブ側ＲＦＩＤアンテナ６が上記のカードサイズである場合、ディスプレイ４のサイズは４．６インチ（約１００ｍｍ×約６０ｍｍ）以上の大きさになる。
【００３４】
磁性シート９は、図３または図４に示すように、アクティブ側ＲＦＩＤアンテナ６とディスプレイ４との間に介在することが好ましい。本実施形態の磁性シート９としては、軟磁性粉末と合成ゴムからなる市販された積層シートが用いられている。ディスプレイ４からアクティブ側ＲＦＩＤアンテナ６がはみ出した部分については磁性シート９は不要なので、アクティブ側ＲＦＩＤアンテナ６とディスプレイ４とが重なった部分（例えばアクティブ側ＲＦＩＤアンテナ６の１／２から２／３倍程度の大きさの部分）にのみ磁性シート９を介在させることが好ましい。
【００３５】
次に、本実施形態の情報処理装置１の作用および効果を説明する。
【００３６】
本実施形態の情報処理装置１においては、図１から図４に示すように、本体部２に接続された表示部３のディスプレイ４よりも小さく形成されたアクティブ側ＲＦＩＤアンテナ６が、ベゼル部５の一部分に部分重複するようにディスプレイ４の表示面の表側もしくは裏側に配置されている。ベゼル部５は一般的に樹脂製品であることが多く、また、そのベゼル部５の内部にはある一定面積を有する導電性部材が配設されていないことが多い。したがって、多くの情報処理装置１においては、図９または図１０に示すように、アクティブ側ＲＦＩＤアンテナ６がベゼル部５の一部分に部分重複するようにディスプレイ４の表示面の表側もしくは裏側に配置されている場合、ＲＦＩＤ通信に用いられる磁束Ｌがベゼル部５を透過する。また、その磁束Ｌは表示部３の外側から回り込むので、ディスプレイ４の表側（図４を参照）もしくは裏側（図３を参照）に到達する。このことから、そのベゼル部５の一部分にパッシブ側ＲＦＩＤアンテナ２０を近接させることによって、アクティブ側ＲＦＩＤアンテナ６を配設した表示部３の両面からＲＦＩＤ通信を行なうことができる。
【００３７】
また、本実施形態のように電磁誘導方式を採用するＲＦＩＤアンテナにおいては、ＲＦＩＤアンテナの開口面積が広いほどその利得を高めることができることは周知である。そこで、発明者は、ＲＦＩＤアンテナの利得を高めるためには、次の（１）から（３）の条件を満たすことが肝要であると、発明者の実験結果に基づいて導き出した。
（１）ＲＦＩＤアンテナが金属板などのＲＦＩＤ通信阻害部材と重複して配置されている場合であっても、ＲＦＩＤアンテナの開口面積は大きいほど好ましい。
（２）ＲＦＩＤアンテナが矩形ループアンテナである場合、少なくともＲＦＩＤアンテナにおける隣位する２辺、すなわち長辺および短辺は、ＲＦＩＤアンテナと重複配置されたＲＦＩＤ通信阻害部材の外縁外側に配置されていることが好ましい。
（３）ＲＦＩＤアンテナにおける長辺および短辺のそれぞれの長さは、長いほど好ましい。
【００３８】
そこで、本実施形態の情報処理装置１においては、少なくとも、アクティブ側ＲＦＩＤアンテナ６が隣位する２辺６ａ、６ｂまたは２辺６ａ、６ｂに相当する２曲線２ｃ、２ｄのいずれか一方を有するループアンテナであって、それら２辺６ａ、６ｂまたは２曲線２ｃ、２ｄがベゼル部５の一部分に重複していることが好ましい。これにより、ベゼル部５に重複配置されるアクティブ側ＲＦＩＤアンテナ６の重複面積が小さくても、アクティブ側ＲＦＩＤアンテナ６の利得を大きくすることができる。また、アクティブ側ＲＦＩＤアンテナ６の利得をさらに大きくしたい場合、アクティブ側ＲＦＩＤアンテナ６がパッシブ側ＲＦＩＤアンテナ２０よりも小さい場合にはアクティブ側ＲＦＩＤアンテナ６の開口面積を大きくしたり、アクティブ側ＲＦＩＤアンテナ６における隣位する２辺６ａ、６ｂまたは２辺６ａ、６ｂに相当する２曲線２ｃ、２ｄの長さを長くしたりすることが好ましい。さらに、前述したアクティブ側ＲＦＩＤアンテナ６の２辺６ａ、６ｂまたは２曲線２ｃ、２ｄのうちの長辺２ａまたは長辺２ａに相当する長曲線２ｃについては、その２／３以上の長さの部分がベゼル部５の一部分に重複していることが通信感度の向上の観点からより好ましい。
【００３９】
これは、アクティブ側ＲＦＩＤアンテナ６における隣位する２辺６ａ、６ｂまたは２辺６ａ、６ｂに相当する２曲線２ｃ、２ｄによりディスプレイ４と重ならないアンテナ開口部を生じることから、アクティブ側ＲＦＩＤアンテナ６から得られる利得を大きくすることができるのではないかと予測される。
【００４０】
また、本実施形態の情報処理装置１においては、図９または図１０に示すように、アクティブ側ＲＦＩＤアンテナ６がパッシブ側ＲＦＩＤアンテナ２０の大きさおよび形状と等しい大きさおよび形状に形成されていることが好ましい。
【００４１】
また、本実施形態の情報処理装置１においては、図１、図６または図７に示すように、ベゼル部５の一部分がベゼル部５における隣位かつ直交する２辺５ａ、５ｂであり、また、アクティブ側ＲＦＩＤアンテナ６における隣位する２辺６ａ、６ｂが隣位かつ直交する２辺であることが好ましい。例えば、本実施形態のように、ベゼル部４が矩形枠状であって、アクティブ側ＲＦＩＤアンテナ６が矩形ループ形状であれば上記の要件を満たす。さらに、アクティブ側ＲＦＩＤアンテナ６が、図１、図６または図７に示すように、アクティブ側ＲＦＩＤアンテナ６における隣位かつ直交する２辺６ａ、６ｂがベゼル部５における隣位かつ直交する２辺５ａ、５ｂと平行に、かつ、それらの隣位かつ直交する２辺５ａ、５ｂ、６ａ、６ｂの各頂点が互いに重複するように、配置されていることが好ましい。これにより、アクティブ側ＲＦＩＤアンテナ６とベゼル部５との重複部分が最大になるので、アクティブ側ＲＦＩＤアンテナ６から得られる利得を最大限に大きくすることができる。
【００４２】
また、本実施形態の情報処理装置１においては、図１、図６または図７に示すように、ベゼル部５が矩形枠状に形成されており、アクティブ側ＲＦＩＤアンテナ６がディスプレイ４の表示面から見てベゼル部５の上下いずれかの右隅に配置されていることが好ましい。図５に示すように、アクティブ側ＲＦＩＤアンテナ６がベゼル部５の隅に配置されていると、その他の部分に配置されている場合と比較して、ディスプレイ４の視認性に影響を及ぼしにくい。また、右利きの利用者にとってみれば、アクティブ側ＲＦＩＤアンテナ６が左側に配置されているよりも右側に配置されているほうがＲＦＩＤ通信を行ないやすい。つまり、アクティブ側ＲＦＩＤアンテナ６を右隅配置することにより、ディスプレイの視認性およびＲＦＩＤ通信の操作性をともに向上させることができる。
【００４３】
また、本実施形態の情報処理装置１においては、表示部３が本体部２にヒンジ接続されていることが好ましい。図９および図１０に示すように、本実施形態のアクティブ側ＲＦＩＤアンテナ６は表示部３の表側および裏側の両面からＲＦＩＤ通信を行なうことができるので、ヒンジ接続された表示部３が閉じた状態であっても、ＲＦＩＤ通信を行なうことができる。これは、本実施形態の情報処理装置１をノートパソコンに適用した場合に有効に作用する。
【００４４】
また、本実施形態の情報処理装置１においては、図３、図９および図１０に示すように、アクティブ側ＲＦＩＤアンテナ６がディスプレイ４の表示面の裏側に配置されていることが好ましい。アクティブ側ＲＦＩＤアンテナ６がディスプレイ４の表示面の表側に配置されている場合、アクティブ側ＲＦＩＤアンテナ６およびそのアンテナ基板８がディスプレイ４の視認性を阻害することがないようにそれらを透明化しなければならない。その結果、アクティブ側ＲＦＩＤアンテナ６およびそのアンテナ基板８に使用することができる材料が限られてしまう。しかし、裏側配置の場合、アクティブ側ＲＦＩＤアンテナ６がディスプレイ４の表示面を遮らないので、不透明なアクティブ側ＲＦＩＤアンテナ６を用いることができる。その結果、アクティブ側ＲＦＩＤアンテナ６およびそのアンテナ基板８に使用することができる材料の選択肢を拡大することができる。
【００４５】
さらに、本実施形態の情報処理装置１においては、図３および図４ならびに図９および図１０に示すように、アクティブ側ＲＦＩＤアンテナ６とディスプレイ４との間に磁性シート９が介在していることが好ましい。ディスプレイ４などに用いられる電極などの導電性部材がアクティブ側ＲＦＩＤアンテナ６に近接配置されている場合、導電性部材がアクティブ側ＲＦＩＤアンテナ６を通過する磁束Ｌの発散を阻害し、ＲＦＩＤ通信に悪影響を及ぼすことが知られている。しかし、アクティブ側ＲＦＩＤアンテナ６の全面に磁性シート９を貼付すると、アクティブ側ＲＦＩＤアンテナ６における磁性シート９の貼付面裏側からしかＲＦＩＤ通信を行なうことができなくなってしまう。そこで、この磁性シート９は、アクティブ側ＲＦＩＤアンテナ６とディスプレイ４とが重複する部分にのみ貼付されている。その結果、図２に示すように、表示部３を閉じている状態においては、磁性シート９の貼付面積がアクティブ側ＲＦＩＤアンテナ６の開口面積よりも小さくなる。これにより、ディスプレイ４に配設された導電性部材がアクティブ側ＲＦＩＤアンテナ６に与える悪影響を抑制することができる。
【００４６】
すなわち、本実施形態の情報処理装置１によれば、ノイズ対策に用いる金属製シールド板などのノイズ対策部材に加工を加えることなくアクティブ側ＲＦＩＤアンテナ６を配設した表示部３の両面からＲＦＩＤ通信を行なうことができるので、情報処理装置１の動作状況にかかわらずにＲＦＩＤ通信を行なうことができるとともに、ノイズ対策を施すことができるという効果を奏する。
【００４７】
なお、本発明は、前述した実施形態などに限定されるものではなく、必要に応じて種々の変更が可能である。
【符号の説明】
【００４８】
１  情報処理装置
２  本体部
３  表示部
４  ディスプレイ
５  ベゼル部
６  アクティブ側ＲＦＩＤアンテナ
９  磁性シート
２０  パッシブ側ＲＦＩＤアンテナ
【図１】
2011091744.tif 000003
【図２】
2011091744.tif 000004
【図３】
2011091744.tif 000005
【図４】
2011091744.tif 000006
【図５】
2011091744.tif 000007
【図６】
2011091744.tif 000008
【図７】
2011091744.tif 000009
【図８】
2011091744.tif 000010
【図９】
2011091744.tif 000011
【図１０】
2011091744.tif 000012